(57)【特許請求の範囲】
【請求項１】
容器本体(2)の上部開口に装着される飲口付きの肩部材(3)と、前記飲口(8)を開閉するキャップ部材(4)とから成り、前記キャップ部材(4)は、前記肩部材(3)の背面部に水平方向の枢軸(10)を介して枢結され、前記肩部材に被冠される閉位置と前記肩部材を開放する開位置との間で回動自在とされ、前記肩部材(3)の正面部とキャップ部材(4)の正面部との相互に、キャップ部材(4)を閉位置に回動した状態で係脱自在に係止するロック手段(12)と、該ロック手段(12)の係止を解除不能に施錠する施錠手段(14)を設けた構成において、
キャップ部材(4)を閉位置に回動したとき前記ロック手段(12)に対向する該キャップ部材の正面部に前記施錠手段(14)を上下スライド自在に設け、該施錠手段(14)を下動することにより前記ロック手段(12)を施錠するように構成して成ることを特徴とする飲料用容器のキャップ装置。
【請求項２】
前記ロック手段(12)は、肩部材(3)の正面部に横軸回りに揺動自在に設けたロックボタン(16)と、該ロックボタンに係脱自在に係止するようにキャップ部材(4)の正面部に設けた係止部(17)とから構成され、
前記ロックボタン(16)は、横軸(15)よりも下方位置の押しボタン部(18)と上方位置の爪片(19)を備え、爪片(19)を常時背面方向に回動するように付勢するスプリング(20)を設けており、前記係止部(17)は、キャップ部材(4)を閉位置に回動したとき前記爪片(19)の背面側に沿って進入するガイド壁(21)と該爪片(19)に係止する係止凹部(22)を備えており、
前記施錠手段(14)は、キャップ部材(4)の前記ガイド壁(21)から上方に延びる延長壁(24)に沿って上下スライド自在なスライダー(26)を構成し、該スライダー(26)を施錠位置まで下動したとき前記爪片(19)の正面側を被うことにより該爪片を係止凹部から退避不能に拘束し、該スライダー(26)を解錠位置まで上動したとき前記爪片(19)の正面側を開放することにより該爪片を係止凹部から退避可能に解放するように構成されて成ることを特徴とする請求項１に記載の飲料用容器のキャップ装置。
【請求項３】
前記スライダー(26)は、キャップ部材の延長壁(24)の両側に形成されたリブ壁(25a)(25a)の間にスライド自在に嵌入され、該スライダーの両側に出没自在な突起片(32)(32)を備えると共に、該突起片(32)(32)を両リブ壁(25a)(25a)に向けて付勢するコイルスプリング(33)を設けており、
前記両リブ壁(25a)(25a)は、スライダー(26)を施錠位置に下動した状態で前記突起片を嵌入させる施錠凹部(34)(34)と、スライダー(26)を解錠位置に上動した状態で該突起片(32)(32)を嵌入させる解錠凹部(35)(35)を形成して成ることを特徴とする請求項２に記載の飲料用容器のキャップ装置。
【請求項４】
前記スライダー(26)を施錠位置に下動した状態で、前記コイルスプリング(33)の上方に設けたスライダーの当接片(36)に該下動方向に対向する方向から当接する当接面(38)を形成したストッパ片(37)を前記延長壁(24)に設けており、該ストッパ片(37)は、前記当接面(38)の下側にコイルスプリング(33)に圧接する圧接面(39)を形成して成ることを特徴とする請求項３に記載の飲料用容器のキャップ装置。
【発明の詳細な説明】
【技術分野】
【０００１】
本発明は、携帯用魔法瓶等の飲料用容器におけるキャップ装置に関する。
【背景技術】
【０００２】
容器本体の上部開口に飲口付きの肩部材を装着し、飲口を開閉するキャップ部材を肩部材に設けた飲料用容器が公知とされている。キャップ部材は、肩部材の背面部に水平方向の枢軸を介して枢結され、肩部材に被冠される閉位置と肩部材を開放する開位置との間で回動自在とされている。肩部材の正面部とキャップ部材の正面部との相互には、キャップ部材を閉位置に回動した状態で係脱自在に係止するロック手段が設けられている。
【０００３】
一般的に、ロック手段は、肩部材の正面部に横軸回りに揺動自在に設けたロックボタンと、該ロックボタンに係脱自在に係止するようにキャップ部材の正面部に設けた係止部とから構成されている。ロックボタンは、横軸よりも下方位置の押しボタン部と上方位置の爪片を備え、爪片を常時背面方向に回動するように付勢するスプリングを設けている。これに対して、係止部は、キャップ部材を閉位置に回動したとき前記爪片の背部に沿って進入するガイド壁と該爪片に係止する係止凹部を備えている。
【０００４】
そこで、キャップ部材を開位置から閉位置まで回動すると、ワンタッチで前記ロック手段による自動ロックが行われる。飲料を飲用する場合は、ユーザの指先で前記押しボタン部を押せば爪片が係止凹部から退避し、キャップ部材を開位置に回動できるので、露出した飲口から飲料を飲用すれば良い。
【０００５】
ところで、キャップ部材を閉位置に回動した不使用状態において、ユーザの誤動作や外力により押しボタン部が押されると、不慮にキャップ部材が開放され、飲料が飲口から漏洩するという問題がある。そこで、前記ロック手段の係止を解除不能に施錠する施錠手段を設けたものが提案されている。
【０００６】
【特許文献１】特開２００５−１９３９４４号公報
【発明の開示】
【発明が解決しようとする課題】
【０００７】
従来技術（特許文献１）において、施錠手段は、上下方向にスライド自在であり、ロックボタンの直下に配置されている。施錠手段を上動させると、該施錠手段の上端部が押しボタン部の背面側に進入し、押しボタンを押動不能に施錠する。つまり、この状態で押しボタンを押してもロックボタンは揺動せず、従って、爪片を係止凹部から退避することができないので、ロック手段の係止が解除不能に施錠される。
【０００８】
しかしながら、施錠手段は、上動した状態で施錠を行うものであるから、容器の底部に振動や衝撃等を受けるとユーザが知らない間に下動てしまい、解錠されるという問題がある。この点に関して、上動位置で係止する係止手段を設ければ、施錠手段が容易に下動することはないが、係止手段の係止が固いと、施錠手段の上下スライド操作が困難となり、操作性が低下する。
【０００９】
特に、構造的に、揺動自在なロックボタンとスライド自在な施錠手段を近接した状態で肩部材の正面部の狭隘なスペースに配置することは、組付け作業が困難であるという問題がある。
【００１０】
本発明は、ロックボタンを肩部材に設ける一方、施錠手段をキャップ部材に設けることにより、部品の組付け作業を容易に行い得る装置を提供する。
【００１１】
また、本発明は、施錠手段を下動した状態でロック手段の施錠を行うことができるように構成することにより、容器の底部に振動や衝撃等を受けても、施錠手段が不慮に解錠されることはなく、しかも、施錠手段の上下スライド操作を円滑に行うことができる装置を提供する。
【課題を解決するための手段】
【００１２】
そこで、本発明が手段として構成したところは、容器本体の上部開口に装着される飲口付きの肩部材と、前記飲口を開閉するキャップ部材とから成り、前記キャップ部材は、前記肩部材の背面部に水平方向の枢軸を介して枢結され、前記肩部材に被冠される閉位置と前記肩部材を開放する開位置との間で回動自在とされ、前記肩部材の正面部とキャップ部材の正面部との相互に、キャップ部材を閉位置に回動した状態で係脱自在に係止するロック手段と、該ロック手段の係止を解除不能に施錠する施錠手段を設けた構成において、キャップ部材を閉位置に回動したとき前記ロック手段に対向する該キャップ部材の正面部に前記施錠手段を上下スライド自在に設け、該施錠手段を下動することにより前記ロック手段を施錠するように構成して成る点にある。
【００１３】
前記ロック手段は、肩部材の正面部に横軸回りに揺動自在に設けたロックボタンと、該ロックボタンに係脱自在に係止するようにキャップ部材の正面部に設けた係止部とから構成され、前記ロックボタンは、横軸よりも下方位置の押しボタン部と上方位置の爪片を備え、爪片を常時背面方向に回動するように付勢するスプリングを設けており、前記係止部は、キャップ部材を閉位置に回動したとき前記爪片の背面側に沿って進入するガイド壁と該爪片に係止する係止凹部を備えており、前記施錠手段は、キャップ部材の前記ガイド壁から上方に延びる延長壁に沿って上下スライド自在なスライダーを構成し、該スライダーを施錠位置まで下動したとき前記爪片の正面側を被うことにより該爪片を係止凹部から退避不能に拘束し、該スライダーを解錠位置まで上動したとき前記爪片の正面側を開放することにより該爪片を係止凹部から退避可能に解放するように構成されている。
【００１４】
前記スライダーは、キャップ部材の延長壁の両側に形成されたリブ壁の間にスライド自在に嵌入され、該スライダーの両側に出没自在な突起片を備えると共に、該突起片を両リブ壁に向けて付勢するコイルスプリングを設けており、前記両リブ壁は、スライダーを施錠位置に下動した状態で前記突起片を嵌入させる施錠凹部と、スライダーを解錠位置に上動した状態で該突起片を嵌入させる解錠凹部を形成している。
【００１５】
前記スライダーを施錠位置に下動した状態で、前記コイルスプリングの上方に設けたスライダーの当接片に該下動方向に対向する方向から当接する当接面を形成したストッパ片を前記延長壁に設けており、該ストッパ片は、前記当接面の下側にコイルスプリングに圧接する圧接面を形成している。
【発明の効果】
【００１６】
請求項１に記載の本発明によれば、キャップ部材４の正面部に施錠手段１４を上下スライド自在に設け、該施錠手段１４を下動することによりロック手段１２を施錠する構成であるから、容器本体２と、肩部材３と、キャップ部材４を分離した状態で、肩部材３にロック手段１２のロックボタン１６を組付け、キャップ部材４に施錠手段１４を組付けた後、キャップ部材４を開放付勢手段１１と共に枢軸１０を介して肩部材３の背面部に枢結すれば、飲料用容器１が完成するので、部品の組付け作業が容易となる。
【００１７】
そして、施錠手段１４を下動方向に移動した状態でロック手段１２の施錠を行う構成であるから、容器の底部に振動や衝撃等が加えられても施錠手段１４が不慮に解錠されることはない。
【００１８】
請求項２に記載の本発明によれば、施錠手段１４は、キャップ部材４のガイド壁２１から上方に延びる延長壁２４に沿って上下スライド自在なスライダー２６を構成し、該スライダー２６を施錠位置まで下動したとき爪片１９の正面側を被うことにより該爪片１９を係止凹部２２から退避不能に拘束し、該スライダー２６を解錠位置まで上動したとき前記爪片１９の正面側を開放することにより該爪片１９を係止凹部２２から退避可能に解放する構成であるから、施錠手段１４を下動することによりロック手段１２を施錠した状態で、容器の底部に振動や衝撃等が与えられることにより施錠手段１４が自重により下動する場合でも、下動方向が施錠方向とされているので、不慮に解錠されることがないという効果がある。
【００１９】
請求項３に記載の本発明によれば、スライダー２６の両側にコイルスプリング３３により付勢された突起片３２、３２を設け、スライダー２６を施錠位置まで下動したとき、突起片３２、３２をリブ壁２５ａ、２５ａの施錠凹部３４、３４に嵌入させ、スライダー２６を解錠位置まで上動したとき、突起片３２、３２をリブ壁２５ａ、２５ａの解錠凹部３５、３５に嵌入させる構成であるから、施錠状態においてスライダー２６を施錠位置に確実に固定できると共に、解錠状態でのロック解除時に開放付勢手段１１により自動開放されるキャップ部材４の遠心力を受ける場合でも、スライダー２６が解錠位置に確実に固定されるという効果がある。
【００２０】
請求項４に記載の本発明によれば、スライダーを施錠位置に向けて下動したとき、スライダー２６の当接片３６をストッパ片３７の当接面３８に当接させ停止させる構成であるから、スライダー２６が施錠位置で正確に停止することにより突起片３２、３２を施錠凹部３４、３４に確実に嵌入させることができる。そして、施錠状態において、ストッパ片３７の圧接面３９をコイルスプリング３３に圧接させる構成であるから、スライダー２６がコイルスプリング３３を介して下向きに付勢され、少なくとも上動を妨げられるので、飲料用容器１に振動や衝撃が加えられても、スライダー２６が簡単に飛び跳ねて上動するようなことはなく、施錠状態を維持できる。
【発明を実施するための最良の形態】
【００２１】
以下図面に基づいて本発明の好ましい実施形態を詳述する。図１及び図２に示すように、飲料用容器１は、容器本体２と、該容器本体２の上部開口に装着される肩部材３と、前記肩部材３に枢結され該肩部材３に被冠される閉位置と該肩部材３を開放する開位置との間で回動自在なキャップ部材４とを備えている。
【００２２】
容器本体２は、ステンレス製の内外容器２ａ、２ｂにより真空断熱壁を形成した魔法瓶タイプとされ、雄ネジ５ａを形成した肩部６ａから上方に径小とされて延長する開口縁７を形成している。
【００２３】
肩部材３は、合成樹脂により成形され、前記雄ネジ５ａに螺合する雌ネジ５ｂを形成した肩部６ｂから上方に小径とされて延長する飲口８を形成している。尚、肩部材３の両側にはストラップ係止用の突軸９、９（図１参照）が設けられている。
【００２４】
このような飲料用容器１は、図２に示す左側を正面側Ｆ、右側を背面側Ｒとしており、ユーザは、正面側Ｆから飲口８に唇を当て、飲料用容器１を傾けることにより容器本体２に充填された飲料を飲用できる。
【００２５】
キャップ部材４は、肩部材３の背面部に水平方向の枢軸１０を介して枢結され、該枢軸１０に付設された鶴巻バネ等の開放付勢手段１１によりキャップ部材４を開位置に開放するように付勢され、該開放付勢手段１１に抗してキャップ部材４を閉位置まで回動したとき、肩部材３の正面部とキャップ部材４の正面部との相互に設けられたロック手段１２によりワンタッチで自動的に係止される。ロック手段１２はボタンタイプとされ、ユーザが指先で押すとロック係止が解除され、解除と同時にキャップ部材４は開放付勢手段１１により開位置まで自動的に回動される。尚、キャップ部材４を閉位置に回動した状態で、該キャップ部材４の頂部内側に設けたシール材１３が飲口８の開口を水密的に閉鎖する。
【００２６】
キャップ部材４の正面部には施錠手段１４が上下スライド自在に設けられており、キャップ部材４を閉位置に回動したとき、該施錠手段１４が前記ロック手段１２に対向する。即ち、施錠手段１４を下動することにより、前記ロック手段１２が施錠されるように構成している。この施錠状態において、ロック手段１２はボタンを押してもロック係止を解除する方向に作動しない。
【００２７】
図３ないし図５に示すように、前記ロック手段１２は、肩部材３の正面部に横軸１５を介して揺動自在に設けられたロックボタン１６と、該ロックボタン１６に係脱自在に係止するようにキャップ部材４の正面部に設けた係止部１７とから構成されている。
【００２８】
図５に拡大図を示すように、前記ロックボタン１６は、横軸１５よりも下方位置の押しボタン部１８と上方位置の爪片１９を備え、爪片１９を常時背面方向に回動するように付勢するスプリング２０を押しボタン部１８と肩部材３の間に介装している。この際、爪片１９は背面側に突出する係止爪１９ａを備えている。これに対して、前記係止部１７は、爪片１９の背面側に沿って進入するガイド壁２１と前記係止爪１９ａに係止する係止凹部２２を備えている。
【００２９】
そこで、キャップ部材４を開位置から閉位置まで回動すると、前記ガイド壁２１が爪片１９の背面側に進入しつつロックボタン１６をスプリング２０に抗して揺動させ、係止凹部２２が爪片１９の背面側に進入すると、ロックボタン１６がスプリング２０により復動して係止爪１９ａを係止凹部２２に係止する。従って、キャップ部材４を閉位置に回動するだけで、ロック手段１２によるロックがワンタッチで自動的に行われる。
【００３０】
ロック手段１２によるロックを解除するには、スプリング２０に抗して押しボタン部１８を押すと、爪片１９が係止部１７から退避し、係止爪１９ａと係止凹部２２の係止を解除するので、キャップ部材４は、開放付勢手段１１により開位置まで自動的に回動する。
【００３１】
図３（Ａ）に示すように、肩部材３は、正面部に左右のリブ壁２３ａ、２３ａを含むリブ状のＵ形壁２３を形成し、該Ｕ形壁２３の内部空間にロックボタン１６を収納しており、爪片１９を肩部材３の上方に突出している。
【００３２】
キャップ部材４の正面部には、前記ガイド壁２１から上方に延びる延長壁２４が形成され、ガイド壁２１及び延長壁２４の左右に設けられたリブ壁２５ａ、２５ａを含むリブ状の逆Ｕ形壁２５を形成しており、キャップ部材４を閉位置に回動した状態で、前記逆Ｕ形壁２５のリブ壁２５ａ、２５ａが前記Ｕ形壁２３のリブ壁２３ａ、２３ａに連なるように構成している。そこで、逆Ｕ形壁２５の内部空間に施錠手段１４が収納されている。
【００３３】
施錠手段１４は、逆Ｕ形壁２５の内部空間に収納された上下スライド自在なスライダー２６を構成し、図５に示すように、下端部の背面側に拘束部２７を突設すると共に正面側に指かけ部２８を突設しており、図４（Ａ）に示すように、左右の嵌合片２９、２９をリブ壁２５ａ、２５ａの上下方向に延びる溝３０、３０に嵌合することにより上下スライド自在に構成されている。そこで、スライダー２６を図５に示す施錠位置まで下動すると、拘束部２７が爪片１９の正面側を被うことにより、該爪片１９の正面方向の揺動を阻止する。つまり、押しボタン部１８を押してもロックボタン１６は揺動せず、係止爪１９ａを係止凹部２２に係止したロック状態を維持する。反対に、スライダー２６を図６（Ｂ）に示す解錠位置まで上動すると、拘束部２７が爪片１９の上方に移動して解錠されるので、押しボタン部１８を押せば、ロックボタン１６が揺動して係止爪１９ａを係止凹部２２から退避させ、ロック係止を解除することによりキャップ部材４を開位置に回動する。
【００３４】
図４及び図５に示すように、スライダー２６の上端部の背面側には、両側壁３１、３１から出没自在な突起片３２、３２が設けられており、両突起片３２、３２の間にコイルスプリング３３を介装することにより、両突起片３２、３２をリブ壁２５ａ、２５ａに向けて付勢している。そこで、リブ壁２５ａ、２５ａの内側面には、下側に配置された施錠凹部３４、３４と、上側に配置された解錠凹部３５、３５が形成されており、スライダー２６を施錠位置まで下動したとき突起片３２、３２を施錠凹部３４、３４に嵌入係止し、スライダー２６を解錠位置まで上動したとき突起片３２、３２を解錠凹部３５、３５に嵌入係止するように構成されている。この際、突起片３２、３２の先端は球面状に形成されており、従って、突起片３２、３２を施錠凹部３４、３４に嵌入係止した状態からスライダー２６に上向きの力を加えると、先端の球面をガイドとして突起片３２、３２が没入しつつ施錠凹部３４、３４から退避することによりスライダー２６の上動を可能にする。反対に、突起片３２、３２を解錠凹部３５、３５に嵌入係止した状態からスライダー２６に下向きの力を加えたときも、同様に突起片３２、３２が没入してスライダー２６の下動を可能にする。
【００３５】
前記コイルスプリング３３のハウジングを構成する上壁により形成された当接片３６がスライダー２６の背面側に形成され、該当接片３６の突出端は延長壁２４の表面に近接する。そこで、スライダー２６を施錠位置まで下動したとき、該下動方向に対向する方向から当接片３６に当接するストッパ片３７が延長壁２４に突設されている。ストッパ片３７は、当接片３６の下面に当接する当接面３８を形成すると共に、該当接面３８から下向きで背面側に傾斜するテーパ面となる圧接面３９を形成しており、該圧接面３９をコイルスプリング３３に圧接するように構成している。
【００３６】
（施錠状態）
図３に示す状態において、キャップ部材４は閉位置まで回動され、ロック手段１２によりロック係止され、しかも、施錠手段１４によりロック手段１２の係止を解除不能に施錠されている。即ち、ロック手段１２は、ロックボタン１６の爪片１９の係止爪１９ａを係止部１７の係止凹部２２に係止している。また、施錠手段１４は、スライダー２６を施錠位置まで下動され、当接片３６をストッパ片３７の当接面３８に当接し、突起片３２、３２を施錠凹部３４、３４に嵌入している。従って、押しボタン部１８を押してもロックボタン１６は揺動せず、係止爪１９ａを係止凹部２２に係止したロック状態が維持され、施錠された状態にある。
【００３７】
この施錠状態において、施錠手段１４のスライダー２６は、コイルスプリング３３により付勢された突起片３２、３２を施錠凹部３４、３４に嵌入しているので、位置決め状態で固定されている。しかも、ストッパ片３７の圧接面３９がコイルスプリング３３に圧接され、該コイルスプリング３３を介してスライダー２６を下向きに付勢しているので、飲料用容器１に振動や衝撃が加えられても、スライダー２６が簡単に飛び跳ねて上動するようなことはなく、施錠状態を維持する。
【００３８】
（施錠解除）
上記の状態から図６に示すように、スライダー２６を上動させると、施錠手段１４による施錠状態が解除される。ユーザの指先を指かけ部２８に当てることによりスライダー２６を押し上げると、突起片３２、３２が先端の球面をガイドとして施錠凹部３４、３４から退避する。また、コイルスプリング３３が圧接面３９のテーパ面に沿って弾性変形しつつストッパ片３７を乗り越えて上方に移動する。スライダー２６の上壁（当接片３６）が逆Ｕ形壁２５の頂壁に当接する解錠位置までスライダー２６を上動すると、突起片３２、３２が解錠凹部３５、３５に嵌入し、該解錠位置でスライダー２６を係止固定する。
【００３９】
（ロック解除）
上記のように施錠手段１４を上動した状態で、拘束部２７が爪片１９の上方に移動することにより解錠しているので、図７（Ａ）に示すように、ロックボタン１６の押しボタン部１８を押せば、爪片１９が揺動して係止爪１９ａを係止凹部２２から退避させ、ロック係止を解除する。それと同時に、図７（Ｂ）に示すように、キャップ部材４は、開放付勢手段１１により開位置に回動する。
【００４０】
（ロック係止と施錠係止）
キャップ部材４を開位置から閉位置まで回動すると、ガイド壁２１が爪片１９の背面側に進入しつつロックボタン１６をスプリング２０に抗して揺動させ、係止凹部２２が爪片１９の背面側に進入すると、ロックボタン１６がスプリング２０により復動して係止爪１９ａを係止凹部２２に係止し、キャップ部材４を閉位置にてロック係止する。
【００４１】
そこで、ユーザの指先を指かけ部２８に当てることによりスライダー２６を押し下げると、突起片３２、３２が先端の球面をガイドとして解錠凹部３５、３５から退避することによりスライダー２６を下動させ、コイルスプリング３３がストッパ片３７を乗り越えて下方に移動するや否や、当接片３６がストッパ片３７の当接面３８に当接することによりスライダー２６を施錠位置で停止させ、突起片３２、３２を施錠凹部３４、３４に嵌入する。
【００４２】
（部品の組付け作業）
図８（Ｂ）から理解できるように、ロック手段１２の一方を構成するロックボタン１６は、スプリング２０を介装させながら横軸１５をＵ形壁２３の内部に組付けることにより、肩部材３の正面部に装着される。ロック手段１２の他方を構成する係止部１７は、合成樹脂製のキャップ部材４のガイド壁２１に係止凹部２２を成形することにより構成されている。尚、係止凹部２２は、貫通孔により構成しても良く、或いは突起等により間接的に凹縁を形成するものでも良く、要するに係止爪１９ａに係止することによりキャップ部材４の開放を阻止する凹縁を備えた形状のものであれば良い。
【００４３】
これに対して、施錠手段１４は、コイルスプリング３３と突起片３２、３２を組付けながらスライダー２６を逆Ｕ形壁２５の内部に組付けることにより、キャップ部材４の正面部に装着される。
【００４４】
従って、容器本体２と、肩部材３と、キャップ部材４を分離した状態で、肩部材３にロックボタン１６を組付け、キャップ部材４に施錠手段１４を組付けた後、キャップ部材４を開放付勢手段１１と共に枢軸１０を介して肩部材３の背面部に枢結すれば、飲料用容器１が完成するので、部品の組付け作業は簡単容易である。
【図面の簡単な説明】
【００４５】
【図１】本発明の１実施形態の外観を示す正面図である。
【図２】本発明の１実施形態の中央縦断側面である。
【図３】施錠状態における本発明の要部を示しており、（Ａ）は正面図、（Ｂ）は縦断側面図である。
【図４】施錠手段の実施例を示しており、（Ａ）は横断平面図、（Ｂ）は縦断正面図である。
【図５】ロック手段と施錠手段を示す縦断側面拡大図である。
【図６】施錠解除状態における本発明の要部を示しており、（Ａ）は縦断正面図、（Ｂ）は縦断側面図である。
【図７】施錠解除後のロック解除状態を示しており、（Ａ）はロック解除した状態を示す縦断側面図、（Ｂ）はロック解除によりキャップ部材が開位置に回動した状態を示す縦断側面図である。
【符号の説明】
【００４６】
１  飲料用容器
２  容器本体
３  肩部材
４  キャップ部材
８  飲口
１０  枢軸
１１  開放付勢手段
１２  ロック手段
１３  シール手段
１４  施錠手段
１５  横軸
１６  ロックボタン
１７  係止部
１８  押しボタン部
１９  爪片
１９ａ  係止爪
２０  スプリング
２１  ガイド壁
２２  係止凹部
２３  Ｕ形壁
２４  延長壁
２５  逆Ｕ形壁
２５ａ  リブ壁
２６  スライダー
２７  拘束部
２８  指かけ部
２９  嵌合壁
３０  溝
３２  突起片
３３  コイルスプリング
３４  施錠凹部
３５  解錠凹部
３６  当接片
３７  ストッパ片
３８  当接面
３９  圧接面
【図１】
0004651688.tif 000002
【図２】
0004651688.tif 000003
【図３】
0004651688.tif 000004
【図４】
0004651688.tif 000005
【図５】
0004651688.tif 000006
【図６】
0004651688.tif 000007
【図７】
0004651688.tif 000008